(57)【特許請求の範囲】
【請求項１】
複数の物品を保管する保管部と、
前記保管部に対して物品を入庫及び出庫する入出庫装置と、
前記保管部に保管される物品の入庫時及び在庫数を管理して、入庫要求及び出庫要求に基づいて前記入出庫装置の入庫作動及び出庫作動を制御する管理制御部と、を備え、
前記管理制御部は、前記保管部から物品を出庫するにあたり前記保管部に最小在庫数の物品を保管しておくように前記入出庫装置の出庫作動を制御するように構成された物品保管設備であって、
前記保管部には、複数の物品を保管する保管領域として第１保管領域及び第２保管領域の少なくとも二つの異なる保管領域が設定され、
前記第１保管領域の許容在庫数は、前記最小在庫数より大きく、
前記管理制御部は、前記入庫要求に基づいて前記保管部に物品を入庫する場合に、前記第１保管領域の在庫数が前記最小在庫数より多くなることを許容する形態で物品を入庫するように、前記入出庫装置の入庫作動を制御するように構成され、かつ、前記出庫要求に基づいて前記保管部から物品を出庫する場合において前記第１保管領域の在庫数が前記最小在庫数より多いときは、前記保管部に保管されている物品から前記第１保管領域に保管されている物品のうち入庫時が新しい順に前記最小在庫数の物品を除いた、残りの物品から出庫するように前記入出庫装置の出庫作動を制御するように構成されている物品保管設備。
【請求項２】
前記管理制御部は、前記入庫要求に基づいて前記保管部に物品を入庫する場合に、前記第１保管領域の在庫数が前記許容在庫数以下でかつ前記最小在庫数より大きい値に設定された最大在庫数に達するまで前記第１保管領域に優先して入庫するべく、前記入出庫装置の入庫作動を制御するように構成されている請求項１に記載の物品保管設備。
【請求項３】
前記保管部は、複数の種別の物品を保管し、
前記複数の種別の物品の夫々について前記最小在庫数及び前記最大在庫数が設定され、
前記第１保管領域が前記複数の種別により共用され、
前記複数の種別の夫々についての前記最大在庫数の合計が前記第１保管領域の前記許容在庫数以下になるように前記複数の種別の夫々についての前記最大在庫数が設定されている請求項２に記載の物品保管設備。
【請求項４】
前記管理制御部は、前記出庫要求として非常時に発生される非常出庫要求に基づいて前記保管部から物品を出庫する場合は、前記第１保管領域の在庫数が前記最小在庫数より少なくなることを許容する形態で物品を出庫するように、前記入出庫装置の入庫作動を制御するように構成されている請求項１〜３のいずれか１項に記載の物品保管設備。
【請求項５】
前記保管部は、少なくとも一つ以上の物品を収納する収納部が上下方向に複数段且つ棚横幅方向に複数列配置された物品収納棚にて構成され、
前記物品収納棚における最下段の収納部から設定段数までの複数段に属する複数の前記収納部が前記第１保管領域に設定され、
前記物品収納棚における前記第１保管領域に属さない複数の前記収納部が前記第２保管領域に設定されている請求項１〜４のいずれか１項に記載の物品保管設備。
【発明の詳細な説明】
【技術分野】
【０００１】
本発明は、複数の物品を保管する保管部と、前記保管部に対して物品を入庫及び出庫する入出庫装置と、前記保管部に保管される物品の入庫時及び在庫数を管理して、入庫要求及び出庫要求に基づいて前記入出庫装置の入庫作動及び出庫作動を制御する管理制御部と、を備え、前記管理制御部は、前記保管部から物品を出庫するにあたり前記保管部に最小在庫数の物品を保管しておくように前記入出庫装置の出庫作動を制御するように構成された物品保管設備に関する。
【背景技術】
【０００２】
このような物品保管設備に関連する従来技術として、特許文献１には、入出庫装置により保管部に入庫された物品の在庫数が最低在庫数となるように在庫数を確保する点が記載されている。特許文献１の物品保管設備では、保管部には複数の種別の物品が保管され、ある種別の在庫数が当該種別の最小在庫数に達していない場合に、不足分の空き容量を確保するように他の種別の入庫を制限するようになっている。
物品保管設備で保管する物品の属性によっては、保管部に最小在庫数の物品を保管しておくことが求められる場合がある。例えば、ある突発的な事象が発生した場合に設定数量の物品（例えば、設備資材や緊急食糧など）を出荷することができるように、保管部に緊急用に最小在庫数の物品を保管しておく物品保管設備がある。
【先行技術文献】
【特許文献】
【０００３】
【特許文献１】特開２００１−１５１３１５号公報
【発明の概要】
【発明が解決しようとする課題】
【０００４】
上記のように保管部に緊急用に最小在庫数の物品を保管しておく物品保管設備においては、日常的に入出庫される物品が保管される保管領域と、緊急用に最小在庫数だけ確保しておくべき物品が保管される保管領域とが、別の保管領域に設定された場合、緊急事態が長期間にわたって発生しないと、緊急用に最小在庫数の物品を確保している保管領域からの物品の出庫が長期間行われないことになる。そのため、保管期間の長期化に伴い最小在庫数の物品の品質が劣化することになり、緊急用の最小在庫数の物品のうち一部又は全部を出庫した場合に、品質が劣化した物品が出庫されることになり、出庫後の物品の使用に支障をきたす恐れがある。
【０００５】
そこで、最小在庫数の物品を保管しつつ、それらの物品が経年劣化することを防止できる物品保管設備が求められる。
【課題を解決するための手段】
【０００６】
本発明に係る物品保管設備の特徴構成は、複数の物品を保管する保管部と、前記保管部に対して物品を入庫及び出庫する入出庫装置と、前記保管部に保管される物品の入庫時及び在庫数を管理して、入庫要求及び出庫要求に基づいて前記入出庫装置の入庫作動及び出庫作動を制御する管理制御部と、を備え、前記管理制御部は、前記保管部から物品を出庫するにあたり前記保管部に最小在庫数の物品を保管しておくように前記入出庫装置の出庫作動を制御するように構成された物品保管設備において、
前記保管部には、複数の物品を保管する保管領域として第１保管領域及び第２保管領域の少なくとも二つの異なる保管領域が設定され、前記第１保管領域の許容在庫数は、前記最小在庫数より大きく、前記管理制御部は、前記入庫要求に基づいて前記保管部に物品を入庫する場合に、前記第１保管領域の在庫数が前記最小在庫数より多くなることを許容する形態で物品を入庫するように、前記入出庫装置の入庫作動を制御するように構成され、かつ、前記出庫要求に基づいて前記保管部から物品を出庫する場合において前記第１保管領域の在庫数が前記最小在庫数より多いときは、前記保管部に保管されている物品から前記第１保管領域に保管されている物品のうち入庫時が新しい順に前記最小在庫数の物品を除いた、残りの物品から出庫するように前記入出庫装置の出庫作動を制御するように構成されている点にある。
【０００７】
本特徴構成によれば、入庫要求に基づいて物品を保管部に入庫するにあたり、第１保管領域の在庫数が最小在庫数より多くなるように入出庫装置により物品を入庫することで、第１保管領域の在庫数を最小在庫数より多くすることができる。
出庫要求に基づいて物品を保管部から出庫する場合に、第１保管領域の在庫数が最小在庫数より多いときは、保管部に保管されている物品から第１保管領域に保管されている物品のうち入庫時が新しい順に最小在庫数の物品を除いた、残りの物品（出庫可能物品）から出庫するので、保管部に対する入出庫が繰り返されることで、第１保管領域に保管されている物品の在庫数が最小在庫数を下回らない範囲で、保管部に保管されている物品の入出庫が実現する。また、保管部に対する入出庫が繰り返されるに伴って、第１保管領域に保管されている物品のうち出庫時に最小在庫数として確保される物品は新しいものに変わっていくことになる。したがって、保管部における第１保管領域に保管されている最小在庫数の物品が長期間保管され続けて経年劣化することを防止できる。
なお、保管部に保管されている物品から第１保管領域に保管されている物品のうち入庫時が新しい順に最小在庫数の物品を除いた、残りの物品（出庫可能物品）から出庫する場合、入庫時が古い物品から順に出庫するのが好ましい。これにより、第１保管領域に保管されている物品の在庫数が最小在庫数を下回らない範囲で、保管部に保管されている物品の先入れ先出しが実現する。
また、保管部に保管されている物品から第１保管領域に保管されている物品のうち入庫時が新しい順に最小在庫数の物品を除いた、残りの物品（出庫可能物品）から出庫する場合、第１保管領域に保管されている物品を少なくとも１つ出庫するようすることが好ましい。これにより、出庫要求があれば第１保管領域から少なくとも１つの物品が確実に出庫されるので、第２保管領域に保管されている物品も含めた出庫可能物品から物品を出庫する場合に比べて、第１保管領域に保管されている物品の先入れ先出しが促進される。さらに、第１保管領域から少なくとも一つ以上の物品を出庫する場合、第１保管領域に保管されている物品のうち入庫時が古い物品から順に出庫することが好ましい。入庫時が古い順に出庫することにより、第１保管領域に保管されている物品のうち最も入庫時の古いものから順に出庫されることになるため、第１保管領域における物品の先入れ先出しが確実に行われる。
そして、保管部に保管されている物品から第１保管領域に保管されている物品のうち入庫時が新しい順に最小在庫数の物品を除いた、残りの物品（出庫可能物品）から出庫されるので、出庫要求に係る数量の物品を出庫しても、第１保管領域に最小在庫数の物品を確保しておくことができる。
このように、本特徴構成によれば、最小在庫数の物品を保管部に保管しつつ、それらの物品が経年劣化することを防止できる。
第１保管領域及び第２保管領域は、保管部において空間的に連続している必要はなく、保管部において複数個所に分散した領域部分の集合で構成されていてもよい。
【０００８】
ここで、前記管理制御部は、前記入庫要求に基づいて前記保管部に物品を入庫する場合に、前記第１保管領域の在庫数が前記許容在庫数以下でかつ前記最小在庫数より大きい値に設定された最大在庫数に達するまで前記第１保管領域に優先して入庫するべく、前記入出庫装置の入庫作動を制御するように構成されていると好適である。
【０００９】
この構成によれば、保管部から物品を出庫する場合において第１保管領域の在庫数が最小在庫数より多い状態を積極的に現出させることができ、出庫要求に係る数量の物品を出庫する場合に第１保管領域から物品が出庫される頻度を向上することができる。これにより、第１保管領域に保管されている物品の先入れ先出しが促進される。
【００１０】
また、前記保管部は、複数の種別の物品を保管し、前記複数の種別の物品の夫々について前記最小在庫数及び前記最大在庫数が設定され、前記第１保管領域が前記複数の種別により共用され、前記複数の種別の夫々についての前記最大在庫数の合計が前記第１保管領域の前記許容在庫数以下になるように前記複数の種別の夫々についての前記最大在庫数が設定されていると好適である。
【００１１】
この構成によれば、複数の種別の夫々についての最大在庫数の合計が第１保管領域の許容在庫数以下であるから、第１保管領域を複数の種別の間で適切に共有でき、複数種別の夫々について最小在庫数以上最大在庫数以下の数量の範囲で在庫を確保できる。
そして、複数種別の物品の夫々について、保管部から物品を出庫する場合には、第１保管領域に保管されている物品のうち入庫時が新しい順に最小在庫数の物品を除いた残りの物品から物品が出庫されるので、複数種別の夫々において、特定の物品が保管部に長期間保管され続けて経年劣化することを防止できる。
このように、複数の種別のそれぞれについて最小在庫数の物品を確保しつつそれらの物品が経年劣化することを防止できる。
【００１２】
また、前記管理制御部は、前記出庫要求として非常時に発生される非常出庫要求に基づいて前記保管部から物品を出庫する場合は、前記第１保管領域の在庫数が前記最小在庫数より少なくなることを許容する形態で物品を出庫するように、前記入出庫装置の入庫作動を制御するように構成されていると好適である。
【００１３】
この構成によれば、非常時には、第１保管領域における物品が最小在庫数になることが許容されるので、例えば、第１保管領域に保管されている物品のうち入庫時が新しい順に最小在庫数の物品を除いた残りの物品の在庫数及び第２保管領域の在庫数が少ない場合等、通常の出庫要求であれば当該出庫要求に係る数量の物品を出庫することができない在庫状態であっても、非常出庫要求に基づいて、当該出庫要求に係る数量の物品を保管部から適切に出庫できる。
このように、非常時には第１保管領域についての出庫制限を緩和することで、非常出庫要求が発生した場合には、欠品を生じさせることなく適切に対応できる。
【００１４】
また、前記保管部は少なくとも一つ以上の物品を収納する収納部が上下方向に複数段且つ棚横幅方向に複数列配置された物品収納棚にて構成され、前記物品収納棚における最下段の収納部から設定段数までの複数段に属する複数の前記収納部が前記第１保管領域に設定され、前記物品収納棚における前記第１保管領域に属さない複数の前記収納部が前記第２保管領域に設定されていると好適である。
【００１５】
この構成によれば、第１保管領域は、物品収納棚の最下段を含む下方に位置する複数段の収納部に設定されるため、第１保管領域は床面に近くに配置される。したがって、入出庫装置が作動しない場合でも、床面を移動する作業者の人手により第１保管領域に保管されている物品を出庫することができる。そのため、例えば、緊急時であるにもかかわらず停電や故障が原因で入出庫装置が動作しない場合でも、第１保管領域に収納されている最小在庫数の物品を保管部から取り出すことができる。
なお、第２保管領域を構成する複数の収納部のうちの一部又は全部が、物品収納棚における最下段の収納部から設定段数までの複数段に属する複数の前記収納部に設定されていてもよい。また、複数の収納部の夫々は、一つの物品を収納するものでもよいし、複数の物品を収納するものでもよい。
【図面の簡単な説明】
【００１６】
【図１】灯器保管設備の要部平面図
【図２】灯器保管設備の要部側面図
【図３】複数の保管領域の設定例を示す図
【図４】在庫情報記憶部に記憶される情報を示す表
【図５】灯器がコンテナに混載された様子を示す図
【図６】制御ブロック図
【図７】灯器情報記憶部に記憶される情報を示す表
【図８】入出庫に伴う第１種灯器の在庫数の変化を示す図
【図９】保管部への入庫制御のフローチャート
【図１０】保管部からの出庫制御のフローチャート
【発明を実施するための形態】
【００１７】
本発明に係る物品保管設備の実施形態を図面に基づいて説明する。本実施形態に係る物品保管設備は、空港の滑走路周辺に設置される灯器を保管する灯器保管設備である。滑走路周辺に設置される灯器には複数の種別があり、種別ごとに設置個数が異なる。これらの灯器は定期的に（例えば、毎日）交換される。交換時に回収された灯器は灯器保管設備に搬入され、洗浄・劣化部品の交換・光軸等の調整といった保守作業が施され、滑走路周辺における灯器の交換時には、保守済みの灯器が設置される。また、複数の種別のうち滑走路への灯器の設置にあたって欠くことができない種別、つまり、緊急時を含め如何なる場合であっても設置が必須となる重要な灯器は、緊急灯器として他の通常灯器と区別して管理される。
【００１８】
図１及び図２に示すように、灯器保管設備は、建屋に設けられた吹抜け空間Ｔに複数の種別の灯器Ｌを保管する保管部１が設けられている。保管部１は、複数の対（本実施形態では２対）を為す状態で複数（本実施形態では４つ）の物品収納棚２が配置されている。物品収納棚２においては、灯器Ｌを収納する収納部３が上下方向に複数段且つ棚横幅方向に複数列配置されている。
【００１９】
本実施形態では、保管部１に保管される灯器Ｌとして、図７に示すように第１種灯器Ｌ１〜第２０種灯器Ｌ２０までの２０種類の灯器Ｌがあり、同一種別の灯器Ｌが各種別毎に設定された混載許容数以下でコンテナ４に収容された状態（図５参照）で保管部１の４つの物品収納棚２における収納部３に保管される。このように、保管部１は、少なくとも一つ以上の灯器Ｌを収納する収納部３が上下方向に複数段且つ棚横幅方向に複数列配置された物品収納棚２の複数にて構成されている。本実施形態では、各収納部３が保管部１の管理単位となっており、後述する収納部番地が登録されている。
【００２０】
各対の物品収納棚２の間に形成される棚間通路には、スタッカークレーン５が設置されている。灯器保管設備における各階（本実施形態では１階〜３階）には、スタッカークレーン５との間でコンテナ４を授受自在な入出庫コンベヤ６や、入出庫コンベヤ６の搬送経路上流側や下流側に設けられるラインコンベヤ７が設けられている。スタッカークレーン５は、昇降マスト５ａに沿って昇降自在な昇降台５ｂに移載装置５ｃ（例えば、スライドフォーク装置により構成される）を備え、走行台車５ｄの棚間通路における走行及び昇降台５ｂの昇降マスト５ａに沿う昇降により、コンテナ４を搬送する。入出庫コンベヤ６やラインコンベヤ７は、電動駆動ローラを備えた電動ローラコンベヤや駆動ローラを備えないフリーローラコンベヤ等により構成されている。入出庫コンベヤ６及びラインコンベヤ７は、コンテナ４を載置搬送するとともに搬送経路上にコンテナ４を一時的に保管するラインバッファとしても機能する。
【００２１】
このような構成により、灯器保管設備における各階において、４つの物品収納棚２における各収納部３へのコンテナ４（灯器Ｌ）の入庫及び出庫が、２台のスタッカークレーン５と複数の入出庫コンベヤ６及びラインコンベヤ７による入庫作動及び出庫作動により可能となっている。つまり、灯器保管設備には、保管部１に対して灯器Ｌを入庫及び出庫する入出庫装置としてスタッカークレーン５並びに入出庫コンベヤ６及びラインコンベヤ７が備えられている。
【００２２】
図１では、１階における入出庫コンベヤ６及びラインコンベヤ７の配置が示されている。各コンベヤ上に示された白抜き矢印は保管部１に入庫されるコンテナ４の流れの概略を示しており、黒塗り矢印は保管部１から出庫されるコンテナ４の流れの概略を示している。滑走路周辺から回収された灯器Ｌは、灯器保管設備の搬入口で洗浄された後、作業者により種別毎にコンテナ４に収容される。灯器Ｌを収容したコンテナ４は、１階におけるラインコンベヤ７としての搬入用コンベヤ７ａの搬送始点に投入され、中継ラインコンベヤ７ｂによる搬送・分岐を経て、入出庫コンベヤ６にて搬送され、スタッカークレーン５に引き渡されて保管部１に入庫される。
【００２３】
保管部１に入庫された灯器Ｌは、図２に示すように、灯器保管設備から最終的に搬出されるまでに、劣化部品の交換等の作業のために２階の整備室に出庫され、必要な検査及び部品の交換が済んだ灯器Ｌは、２階から再び保管部１に入庫される。そして、光軸等の調整の作業のために３階の配光室に出庫され、光軸等の調整が済んだ灯器Ｌは、３階から再び保管部１に入庫される。こうして灯器Ｌは、設置基準を満たす灯器Ｌとして保管部１に保管されることになる。
【００２４】
設置基準を満たす保守済みの灯器Ｌは、出庫要求に基づき保管部１からスタッカークレーン５、入出庫コンベヤ６、中継ラインコンベヤ７ｂにより順次搬送され、搬出口に設けられたストレージコンベヤ７ｄまで搬出用コンベヤ７ｃにて搬出される。搬出口では、滑走路周辺の設置箇所まで運搬すべく、運搬車両に積み込まれる。なお、入出庫コンベヤ６として中継ラインコンベヤ７ｂに接続されずに直接に搬出用コンベヤ７ｃに接続されているものがあり、この入出庫コンベヤ６を利用することで灯器Ｌの出庫リードタイムを短縮できる。
【００２５】
コンテナ４に収容された状態での灯器Ｌの保管部１に対するこのような入庫及び出庫は、在庫管理装置Ｃ（図６参照）により管理される。在庫管理装置Ｃは、図４に示すように、各階でのラインコンベヤ７への投入の際に読み取られる灯器Ｌの種別情報及びその灯器Ｌを収容するコンテナ４の識別情報を、当該コンテナ４を入庫する収納部３として選択した入庫先の収納部３の位置情報である収納部番地及び入庫時（本実施形態では入庫日）とを関連付けて在庫情報記憶部Ｄ１に記憶させる。
【００２６】
本実施形態では、一つの物品収納棚２は16ベイ×37レベル=592の収納部３を備えており、保管部１は、592×4=2368の収納部３を備えている。そこで、収納部３の収納部番地は、図４に示すように、４つの物品収納棚２を特定する「01」〜「04」のバンク番号と、物品収納棚２における棚間通路長手方向の位置を特定する「01」〜「16」のベイ番号と、物品収納棚２における高さ方向の位置すなわち段を特定する「01」〜「37」のレベル番号と、の３つの変数の組み合わせにより特定される値としている。
【００２７】
また、本実施形態では、灯器Ｌの種別情報として、各灯器Ｌには当該灯器Ｌの種別である第１種〜第２０種に対応した固有の「01」〜「20」の灯器ＩＤ（図４参照）がバーコードにより付されており、コンテナ４の識別情報として、各コンテナ４には、当該コンテナ４に固有の「0001」〜「3000」までの容器ＩＤ（図４参照）がバーコードにより付されている。このような識別情報の管理は、バーコードによるシステムでなくても、例えば、ＲＦＩＤタグとそれを読み取るタグリーダとを用いたＩＤタグシステムで実現してもよい。
【００２８】
図７に示すように、本実施形態では、２０種の灯器Ｌのうち、第１種灯器Ｌ１〜第５種灯器Ｌ５が緊急時でも設置が必須となる緊急灯器であり、第６種灯器Ｌ６〜第２０種灯器Ｌ２０が通常灯器である。このような灯器Ｌの種別に基づく「緊急灯器」と「通常灯器」との区分情報や、各灯器Ｌの保管にあたって必要となる各種のパラメータは、灯器Ｌの種別に関連付けて、灯器情報記憶部Ｄ２に記憶されている。
【００２９】
図６に示すように、在庫管理装置Ｃは、灯器識別部Ｃ１、容器識別部Ｃ２、入庫日設定部Ｃ３、灯器区分判別部Ｃ４、入庫先決定部Ｃ５、出庫元決定部Ｃ６、搬送指令部Ｃ７といった各機能部を、プロセッサーやメモリー等のハードウェアにより実行されるソフトウェアとして備えている。在庫管理装置Ｃには、上述の在庫情報記憶部Ｄ１及び灯器情報記憶部Ｄ２との間で情報の読み出し及び書き込みが可能な状態で接続されるとともに、バーコードリーダ８のほか、入庫要求部９が発する入庫要求や、計画出庫要求部１０及び緊急出庫要求部１１が発する出庫要求といった各種の入力情報を受信できるように各種の機器に接続されている。
【００３０】
コンテナ４に収容された灯器Ｌを入庫するにあたり、作業者が当該コンテナ４に収容されている全ての灯器Ｌの夫々をバーコードリーダ８で読み込ませることで、在庫管理装置Ｃは、読み込んだ灯器ＩＤの個数、灯器ＩＤ及び容器ＩＤ、入庫先決定部Ｃ５が決定した入庫先の収納部３の収納部番地、及び、入庫日設定部Ｃ３が設定する入庫日といった各種の入庫情報を当該入庫対象のコンテナ４に関連付けて在庫情報記憶部Ｄ１に記憶することで、保管部１に保管される灯器Ｌの入庫時及び在庫数並びに保管位置を管理している。
【００３１】
在庫管理装置Ｃの搬送指令部Ｃ７が生成する搬送指令（入庫用搬送指令及び出庫用搬送指令）は、搬送制御装置Ｈに伝達され、搬送制御装置Ｈは、その搬送指令に基づいてスタッカークレーン５並びに入出庫コンベヤ６及びラインコンベヤ７のコンテナ４（灯器Ｌ）の搬送作動を制御する。すなわち、ある種別の灯器Ｌの入庫要求があると、搬送制御装置Ｈは、当該入庫要求に基づいて在庫管理装置Ｃの入庫先決定部Ｃ５が決定した入庫先の収納部３へ、当該種別の灯器Ｌが収容された入庫対象のコンテナ４を搬入口から搬送するべく、当該入庫要求に基づいて搬送指令部Ｃ７が出力する入庫用搬送指令に従って、ラインコンベヤ７及び入出庫コンベヤ６並びにスタッカークレーン５の搬送作動を制御する。また、ある種別の灯器Ｌの出庫要求があると、搬送制御装置Ｈは、当該出庫要求に基づいて在庫管理装置Ｃの出庫元決定部Ｃ６が決定した出庫元の収納部３から、当該種別の灯器Ｌが収容された出庫対象のコンテナ４を搬出口に搬送するべく、当該出庫要求に基づいて搬送指令部Ｃ７が出力する出庫用搬送指令に従って、ラインコンベヤ７及び入出庫コンベヤ６並びにスタッカークレーン５の搬送作動を制御する。
【００３２】
このように、在庫管理装置Ｃ及び搬送制御装置Ｈは、保管部１に保管される灯器Ｌの入庫時及び在庫数を管理して、入庫要求及び出庫要求に基づいて入出庫装置の入庫作動及び出庫作動を制御するので、在庫管理装置Ｃ及び搬送制御装置Ｈが本発明の管理制御装置の機能を担っている。
【００３３】
灯器Ｌを入庫する場合の作業者の動作の概要を説明すると次の通りである。図示は省略するが各階のラインコンベヤ７におけるコンテナ４の投入箇所にはバーコードリーダ８が設置されており、入庫対象のコンテナ４に付されたバーコードをバーコードリーダ８に読み取らせ、読み取りが完了したら、投入箇所に設けられている端末装置が備える容器情報読込完了ボタンを押下する。続いて、このコンテナ４に収容する予定の灯器Ｌに付されたバーコードをバーコードリーダ８に読み取らせ、読み取りが終わったものから順次コンテナ４に収容する。この作業を当該コンテナ４に混載する予定の全ての灯器Ｌ（混載許容数より少ない場合もある。）について繰り返し、当該コンテナ４に混載される全ての灯器Ｌのバーコードの読込及びコンテナ４への収容が完了したら、投入箇所に設けられている端末装置が備える入庫設定完了ボタンを押下する。
【００３４】
作業者がコンテナ４及び灯器Ｌのバーコードを読み込ませると、在庫管理装置Ｃの灯器識別部Ｃ１が機能して、灯器Ｌのバーコード情報から当該灯器Ｌが第１種灯器Ｌ１〜第２０種灯器Ｌ２０のうちいずれの種別の灯器Ｌであるかを識別し、容器識別部Ｃ２が機能して、コンテナ４のバーコード情報から仕切数の違いによるコンテナ種別を判別する。混載予定の灯器Ｌに付されたバーコードを順次読み込むとき、最初に読み込んだ灯器Ｌの灯器ＩＤについての混載許容数が、容器識別部Ｃ２により判別されたコンテナ４の仕切数と一致しない場合にはエラー情報を通知することで、コンテナ４に収容される灯器Ｌの混載数が不適切となることを防止できる。また、直前に読み込んだ灯器Ｌの灯器ＩＤと異なる灯器ＩＤである場合にエラー情報を通知するようにすると、コンテナ４に異なる種別の灯器Ｌが誤って収容された状態で保管部１に保管さることを防止できる。
【００３５】
作業者が入庫設定完了ボタンを押下することで、入庫要求が発生する。すなわち、入庫設定完了ボタンが入庫要求部９として機能する。なお、入庫設定完了ボタンに限らず、音声その他による入力装置により入庫要求部９を実現してもよい。入庫要求が発生すると、入庫日設定部Ｃ３、灯器区分判別部Ｃ４、及び、入庫先決定部Ｃ５が機能する。ただし、灯器区分判別部Ｃ４は、設置基準を満たす灯器Ｌについての入庫要求、つまり、３階からの入庫要求があった場合にだけ機能する。
【００３６】
入庫要求としては、洗浄工程後の灯器Ｌを保管部１に入庫するために１階の搬入口から発せられる入庫要求と、検査及び必要な部品交換後の灯器Ｌを保管部１に入庫するために２階の整備室から発せられる入庫要求と、光軸調整後の灯器Ｌ（設置基準を満たす灯器Ｌ）を保管部１に入庫するために３階の配光室から発せられる入庫要求とが存在するが、本発明は、３階の配光室から発せられる入庫要求についての入庫制御に対して適用されている。
【００３７】
また、本実施形態に係る灯器保管設備においては、出庫要求としては、洗浄工程後に保管部１に保管されている灯器Ｌを２階の整備室へ出庫するために整備室から発せられる出庫要求と、検査及び必要な部品交換を行った後に保管部１に保管されている灯器Ｌを３階の配光室へ出庫するために配光室から発せられる出庫要求と、光軸調整等を行った後に保管部１に保管されている設置基準を満たす灯器Ｌを１階の搬出口へ出庫するために搬出口から発せられる出庫要求とが存在するが、１階の搬出口から発せられる出庫要求についての出庫制御に対して本発明が適用されている。
【００３８】
このように、本実施形態の灯器保管設備では、保管部１には、保守済みで設置基準を満たして搬出口へ搬出できる灯器Ｌのみならず、保守対象の灯器Ｌについても同時に保管されており、保管部１に対する入出庫が行われるが、設置基準を満たしている灯器Ｌについての入庫要求及び出庫要求が発生した場合の、緊急灯器である第１種灯器Ｌ１〜第５種灯器Ｌ５に関する入庫制御及び出庫制御において本発明が適用されているので、以下では、保守済みの灯器Ｌについての入庫要求及び出庫要求が発生した場合、つまり、３階の配光室からの入庫要求及び１階の搬出口からの出庫要求が発生した場合の在庫管理装置Ｃ及び搬送制御装置Ｈの制御動作について説明する。まず、３階の配光室からの入庫要求が発生した場合の在庫管理装置Ｃ及び搬送制御装置Ｈの入庫制御について説明する。
【００３９】
入庫要求が発生すると入庫日設定部Ｃ３が機能することで、在庫管理装置Ｃが内臓する時計から入庫要求が発生した日時を入庫時として取得する。なお、入庫日設定部Ｃ３が入庫時を取得するタイミングは、実際のコンテナ４が収納部３に入庫されたタイミング等別のタイミングで取得してもよい。
【００４０】
入庫要求が発生すると灯器区分判別部Ｃ４が機能することで、入庫対象の灯器Ｌの灯器ＩＤ及び灯器情報記憶部Ｄ２に記憶されている灯器Ｌの区分情報に基づき、当該灯器Ｌの灯器区分が判別される。例えば、入庫対象の灯器Ｌが第２種灯器Ｌ２である場合、バーコードリーダ８で読み取られる灯器ＩＤは「02」であるから、図７に示されているように、当該第２種灯器Ｌ２の区分は「緊急灯器」と判別される。また、入庫対象の灯器Ｌが第１５種灯器Ｌ１５である場合、バーコードリーダ８で読み取られる灯器ＩＤは「15」であるから、図７に示されているように、当該第１５種灯器Ｌ１５の区分は「普通灯器」と判別される。判別結果は在庫管理装置Ｃが備える記憶部に保持される。すなわち、現在処理中の入庫対象の灯器Ｌについての緊急灯器区分フラグを用いて、入庫対象の灯器Ｌが緊急灯器であれば緊急灯器区分フラグを立てておく、というようにして判別結果が一時的に保持される。
【００４１】
図３に示すように、保管部１には、複数の灯器Ｌを保管する保管領域として第１ゾーンＺ１及び第２ゾーンＺ２の二つの異なる保管領域（本発明の第１保管領域及び第２保管領域）が設定されている。第２ゾーンＺ２に属する収納部３の一部を、例えば、特定の種別の灯器Ｌを保管する領域として別の保管領域に設定してもよい。第１ゾーンＺ１は、緊急灯器である第１種灯器Ｌ１〜第５種灯器Ｌ５の５つの種別により共用され、これらの複数の種別の夫々について第１ゾーンＺ１に在庫として確保すべき最小在庫数、及び、第１ゾーンＺ１に保管できる在庫数の限度である最大在庫数が設定されている。
【００４２】
緊急灯器の区分に属する灯器Ｌつまり第１種灯器Ｌ１〜第５種灯器Ｌ５の５種の灯器Ｌについては、少なくとも最小在庫数は第１ゾーンＺ１に属する収納部３において保管するようになっている。そして、当該種別の灯器Ｌの在庫数が増えてきても、各種別について設定されている最大在庫数を限度として保管し、それ以上の灯器Ｌは第２ゾーンＺ２に属する収納部３において保管するようになっている。
【００４３】
入庫要求が発生すると入庫先決定部Ｃ５が機能することで、入庫対象の灯器Ｌの灯器区分に基づいて、保管部１の空き収納部３の中から入庫対象の灯器Ｌの入庫先の収納部３が選択される。入庫対象の灯器Ｌが緊急灯器である場合、つまり、入庫対象の灯器Ｌの種別が第１種灯器Ｌ１〜第５種灯器Ｌ５のいずれかである場合は、第１ゾーンＺ１に属する収納部３に優先して入庫され、第１ゾーンＺ１における当該種別の在庫数が最大在庫数に達した後は、第２ゾーンＺ２に属する収納部３に入庫される。入庫対象の灯器Ｌの種別の区分が通常灯器であれば、原則として第２ゾーンＺ２に属する収納部３に入庫される。このような入庫先の収納部３の振り分けは、３階の配光室からの設置基準を満たす灯器Ｌについての入庫要求が発生した場合に行われるのであって、１階や２階から発生する設置基準を未だ満たしていない灯器Ｌについての入庫要求が発生した場合は、原則として第２ゾーンＺ２に属する空き収納部３が選択される。
【００４４】
このように、在庫管理装置Ｃは、入庫要求に基づいて保管部１に緊急灯器である灯器Ｌを入庫する場合に、第１ゾーンＺ１の在庫数が最小在庫数より多くなることを許容する形態で灯器Ｌを入庫するように、スタッカークレーン５並びに入出庫コンベヤ６及びラインコンベヤ７の入庫作動を制御する。具体的には、在庫管理装置Ｃは、入庫要求に基づいて保管部１に灯器Ｌを入庫する場合に、第１ゾーンＺ１の在庫数が許容在庫数以下でかつ最小在庫数により大きい値に設定された最大在庫数に達するまで第１ゾーンＺ１に優先して入庫するべく、入出庫装置（スタッカークレーン５並びに入出庫コンベヤ６及びラインコンベヤ７）の入庫作動を制御する。
【００４５】
緊急灯器である第１種灯器Ｌ１〜第５種灯器Ｌ５の夫々についての最大在庫数の合計が第１ゾーンＺ１の許容在庫数以下になるように５種の緊急灯器の夫々についての最大在庫数が設定されている。当然、第１ゾーンＺ１の許容在庫数は、緊急灯器である各種別の夫々の最小在庫数より大きい。
【００４６】
本実施形態では、図３に示すように、物品収納棚２における最下段の収納部３から設定段数として４段までの複数段（４段）に属する複数の収納部３が第１ゾーンＺ１に設定され、物品収納棚２における第１ゾーンＺ１に属さない複数の収納部３が第２ゾーンＺ２に設定されている。具体的には、保管部１における４つの物品収納棚２のレベル番号「01」〜「04」の４つのレベルに属する、256（16ベイ×4レベル×4バンク）個の収納部３が第１ゾーンＺ１に設定されている。入庫先決定部Ｃ５が機能することで、緊急灯器である第１種灯器Ｌ１〜第５種灯器Ｌ５の灯器Ｌは、第１ゾーンＺ１に属する256個の収納部３から優先的に入庫先が選択される。
【００４７】
第１ゾーンＺ１をこのようにレベル番号「01」〜「04」の床面に近い高さの低い収納部３に設定することで、地震による停電や故障等により入出庫装置が作動しない場合でも、床面を移動する作業者の人手により第１ゾーンＺ１に保管されている灯器Ｌを出庫することができる。そのため、例えば、緊急時であるにもかかわらず停電や故障が原因で入出庫装置が動作しない場合でも、第１ゾーンＺ１に収納されている最小在庫数の灯器Ｌを保管部１から取り出すことができる。
【００４８】
５種の緊急灯器の夫々の最大在庫数は、図７に示すように設定されており、第１種灯器Ｌ１は最大で80個まで、第２種灯器Ｌ２は最大で70個まで、第３種灯器Ｌ３は最大で50個まで、第４種灯器Ｌ４は最大で30個まで、第５種灯器Ｌ５は最大で25個までが第１ゾーンＺ１の収納部３に保管できるようになっている。これらの最大在庫数の合計は255個であるから、第１ゾーンＺ１の許容在庫数である256個以下となっている。
【００４９】
なお、最大在庫数の設定は、第１ゾーンＺ１に保管されるコンテナ４に対する灯器Ｌの収容効率が最低の場合、つまり、第１ゾーンＺ１に保管される全てのコンテナ４にただ１個の灯器Ｌを収容した場合を想定して設定されているが、実際には一つのコンテナ４に同種別の複数の灯器Ｌが混載されるため、第１ゾーンＺ１における第１種灯器Ｌ１〜第５種灯器Ｌ５の在庫数の夫々がいずれもが最大在庫数に達していても、占有される収納部３は、これらの合計より少なくなっている。
【００５０】
次に、１階の搬出口からの出庫要求が発生した場合の在庫管理装置Ｃ及び搬送制御装置Ｈの出庫制御について説明する。作業者が、１階の搬出口に設けられた図外の端末が備える計画出庫ボタンを押下することで、出庫要求が発生する。すなわち、計画出庫ボタンが計画出庫要求部１０として機能する。本実施形態における計画出庫要求部１０からの出庫要求では、第１種灯器Ｌ１〜第２０種灯器Ｌ２０の全ての種別の灯器について図７に示す計画出庫数だけ出庫が要求される。
【００５１】
出庫要求が発生すると、図７で示すように灯器種別毎に予め設定されている計画出庫数の灯器Ｌを搬出口に出庫するべく、在庫管理装置Ｃは出庫制御を開始する。在庫管理装置Ｃは、当該出庫要求に基づいて保管部１から緊急灯器である第１種灯器Ｌ１〜第５種灯器Ｌ５を計画出庫数だけ出庫する場合において第１ゾーンＺ１の在庫数が最小在庫数より多いときは、保管部１に保管されている灯器Ｌから第１ゾーンＺ１に保管されている灯器Ｌのうち入庫日が新しい順に最小在庫数の灯器Ｌを除いた、残りの灯器Ｌ（計画出庫可能灯器）から、灯器Ｌを出庫するようにスタッカークレーン５並びに入出庫コンベヤ６及びラインコンベヤ７の出庫作動を制御する。これにより、緊急灯器については第１ゾーンＺ１に最小在庫数以上の在庫が確保できるようになっている。
【００５２】
出庫要求が発生すると、当該出庫要求で出庫対象となっている灯器種別ごとに在庫管理装置Ｃの出庫元決定部Ｃ６が機能する。すなわち、在庫管理装置Ｃは、在庫情報記憶部Ｄ１に記憶されている在庫情報を参照し、出庫対象の灯器Ｌの灯器区分が緊急灯器（第１種灯器Ｌ１〜第５種灯器Ｌ５）である場合は、保管部１に保管されている当該種別の灯器Ｌから第１ゾーンＺ１に保管されている在庫のうち入庫日が新しい順に最小在庫数の灯器Ｌを除いた、残りの灯器Ｌから、入庫日が古いものから順に極力多くの灯器Ｌを出庫するように出庫元の収納部３を決定している。なお、出庫要求で要求される出庫数の灯器Ｌを入庫日の古い順で選択する場合、出庫要求で要求される出庫数を超える最小数量のコンテナ４を出庫対象のコンテナ４として選択され、これらのコンテナ４を保管している収納部３が出庫元の収納部３として選択される。
【００５３】
このように、在庫管理装置Ｃは、出庫要求に基づいて保管部１に緊急灯器である第１種灯器Ｌ１〜第５種灯器Ｌ５を出庫するにあたり、保管部１に最小在庫数の灯器Ｌを保管しておくようにスタッカークレーン５並びに入出庫コンベヤ６及びラインコンベヤ７の出庫作動を制御する。
【００５４】
１階の搬出口に設けられた図外の端末が備える緊急出庫ボタンを、作業者が緊急時に押下することで、緊急出庫要求（本発明の非常出庫要求に相当）が発生する。すなわち、緊急出庫ボタンが緊急出庫要求部１１として機能する。緊急出庫ボタンが押下される緊急時とは、例えば、航空機が滑走路に胴体着陸等の緊急着陸をする場合である。緊急着陸が発生した場合、その着陸時に損傷する灯器Ｌを交換することになるが、空港機能の迅速な回復のために少なくとも緊急灯器である第１種灯器Ｌ１〜第５種灯器Ｌ５については夫々の計画出庫数の出庫を済ませ準備しておく必要がある。本実施形態では、緊急出庫要求であっても、計画出庫要求と同じく、灯器ＩＤ「01」〜「20」の全ての種別の灯器Ｌが出庫対象となっている。
【００５５】
緊急出庫要求が発生すると、在庫管理装置Ｃは、当該緊急出庫要求に基づいて保管部１から緊急灯器である第１種灯器Ｌ１〜第５種灯器Ｌ５を出庫する場合は、第１ゾーンＺ１の在庫数が最小在庫数より少なくなることを許容する形態で５種の緊急灯器（第１種灯器Ｌ１〜第５種灯器Ｌ５）を出庫するように、スタッカークレーン５並びに入出庫コンベヤ６及びラインコンベヤ７の作動を制御する。
【００５６】
以下に、上述した灯器識別部Ｃ１、容器識別部Ｃ２、入庫日設定部Ｃ３、灯器区分判別部Ｃ４、入庫先決定部Ｃ５、出庫元決定部Ｃ６、搬送指令部Ｃ７により実現する在庫管理装置Ｃの入庫制御及び出庫制御における制御動作について図９及び図１０のフローチャートに沿って説明する。なお、入庫制御は入庫対象の１個のコンテナ４についての処理であり、出庫制御は、出庫対象の１個又は複数のコンテナ４についての処理である。
【００５７】
まず、３階の配光室からの入庫要求が発生した場合の入庫制御について、図９のフローチャートを参照して説明する。入庫要求部９で入庫要求が発生するまで、ステップ＃Ｓ１で待機状態である。作業者が入庫設定完了ボタンを押下することで、ある種別の灯器Ｌを収容した一つのコンテナ４についての入庫要求が発生すると、ステップ＃Ｓ２へ移行し、入庫設定作業によりバーコードリーダ８で読み取られた灯器Ｌのバーコード情報と灯器情報記憶部Ｄ２に記憶されている灯器区分情報に基づき、当該灯器Ｌが緊急灯器か通常灯器か判別する。
【００５８】
入庫対象の灯器Ｌが緊急灯器であればステップ＃Ｓ３に移行し、通常灯器であればステップ＃Ｓ５に移行する。緊急灯器である場合、ステップ＃Ｓ３で、在庫情報記憶部Ｄ１の情報に基づいて当該種別の灯器Ｌの第１ゾーンＺ１における在庫数が既に最大在庫数に達しているかが判断される。最大在庫数に達していなければ、ステップ＃Ｓ４へ移行し、第１ゾーンＺ１に属する収納部３について設定検索条件に従って入庫先の空きの収納部３を一つ検索し、見つかった収納部３を入庫先の収納部３として引き当てる。
【００５９】
なお、空きの収納部３を検索する場合の設定検索条件は、検索の対象となるゾーンの収納部３のレベル番号の小さいものから順につまり第１ゾーンＺ１で空き収納部３を検索する場合であれば最下段の収納３部から順に、ベイ番号の小さいものから順につまり手前のベイから、同じレベル番号・ベイ番号の奇数・偶数バンクの空き収納部３を探し、空きがなければ順次ベイ番号を増やしていく。ベイ番号が最大値１６に達した時点でレベル番号を１つ上げて同様にベイ番号の小さいものからベイ方向に空棚を探していく。
【００６０】
ステップ＃Ｓ２で入庫対象の灯器Ｌが通常灯器であった場合や、ステップ＃Ｓ３で、第１ゾーンＺ１における在庫数が最大在庫数に達している場合は、ステップ＃Ｓ５へ移行し、第２ゾーンＺ２に属する収納部３について設定検索条件に従って入庫先の空きの収納部３を一つ検索し、見つかった収納部３を入庫先の収納部３として引き当てる。
【００６１】
ステップ＃Ｓ４やステップ＃Ｓ５で入庫先の収納部３が決定したら、ステップ＃Ｓ６へ移行し、入庫対象の灯器Ｌの灯器ＩＤと、コンテナ４の容器ＩＤと、入庫日と、入庫先の収納部番地とを関連付けて在庫情報記憶部Ｄ１に記憶する。こうして、入庫対象の灯器Ｌの在庫情報が記憶されたら、当該入庫先の収納部３を搬送先とする入庫用搬送指令を搬送制御装置Ｈに指令する。これにより、入庫対象の灯器Ｌを収容したコンテナ４が、ラインコンベヤ７及び入出庫コンベヤ６並びにスタッカークレーン５と中継搬送されて、指定された収納部番地の収納部３に保管される。
【００６２】
次に、１階の搬出口からの出庫要求が発生した場合の出庫制御について、図１０のフローチャートを参照して説明する。
計画出庫要求部１０や緊急出庫要求部１１で１階の搬出口からの出庫要求が発生するまで、ステップ＃Ｒ１で待機状態である。作業者が計画出庫ボタンを押下することで計画出庫要求が発生するか、作業者が緊急出庫ボタンを押下することで緊急出庫要求が発生すると、それらの出庫要求に応じて予め設定された複数の種別の夫々についての指定された数量の灯器Ｌを出庫するべく、出庫制御が開始される。図１０のフローチャートは、出庫要求で出庫対象とされる２０種の灯器Ｌのうち、ある種別の灯器Ｌについての処理を示している。なお、出庫制御で出庫される灯器Ｌは、コンテナ４を単位として出庫されるため、出庫要求で要求されている個数より多くの灯器Ｌが出庫される場合がある。
【００６３】
出庫要求が発生すると、ステップ＃Ｒ２へ移行し、出庫対象の灯器Ｌの灯器区分が判別される。出庫対象の灯器Ｌが通常灯器である場合は、ステップ＃Ｒ６へ移行する。出庫対象の灯器Ｌが緊急灯器である場合は、ステップ＃Ｒ３へ移行する。
【００６４】
ステップ＃Ｒ３では、第１ゾーンＺ１における当該緊急灯器の在庫数として最小在庫数を確保するべく、第１ゾーンＺ１における当該種別の灯器Ｌを対象に、入庫日が新しいものから順に最小在庫数を確保できるまで、収納部３のうち出庫引き当てを禁止する出庫禁止収納部を設定する。ステップ＃Ｒ４で、出庫対象の当該種別の灯器Ｌの保管部１における在庫として最小在庫数を確保するために、第１ゾーンＺ１において最小在庫数相当の出庫禁止収納部が確保できていれば、ステップ＃Ｒ６へ移行する。第１ゾーンＺ１において最小在庫数相当の出庫禁止収納部が確保できていなければ、ステップ＃Ｒ５で第２ゾーンＺ２にも出庫禁止収納部を拡張設定する。つまり、第２ゾーンＺ２の灯器Ｌを対象として入庫日が新しいものから順に、第１ゾーンＺ１で設定した出庫禁止収納部の数との合計が最小在庫数相当になるまで、出庫禁止収納部を設定する。
【００６５】
第１ゾーンＺ１において、又は、第１ゾーンＺ１及び第２ゾーンＺ２において、最小在庫数相当の出庫禁止収納部が確保できたら、ステップ＃Ｒ６で、保管部１における収納部３のうち、出庫禁止収納部に設定されていない収納部３に収納されている灯器Ｌを対象として、入庫日が古いものから順に出庫数量以上となるようにコンテナ４を選択する。
【００６６】
ステップ＃Ｒ７で、出庫対象として選択済みの容器に収容されている灯器Ｌの総数が出庫数量に足りたかどうかがチェックされる。足りていれば、ステップ＃Ｒ１２へ移行する。出庫数量に足りていない場合、ステップ＃Ｒ８に移行する。
【００６７】
ステップ＃Ｒ８では、今般の出庫要求が、計画出庫要求であるか、緊急出庫要求であるか、判別される。この判別は、出庫要求が発生した時点で在庫管理装置Ｃの記憶部に出庫要求種別を記憶しておき、記憶された出庫要求種別情報に基づいて判別される。今般の出庫要求が計画出庫要求である場合は、ステップ＃Ｒ９へ移行し、欠品情報をディスプレイ等に表示する等して作業員に報知する。
【００６８】
今般の出庫要求が緊急出庫要求である場合は、ステップ＃Ｒ１０へ移行し、禁止収納部として設定されている収納部３についての禁止設定を解除する。ステップ＃Ｒ１１で、第１ゾーンＺ１に保管されている灯器Ｌのうち、禁止収納部であったがために選択されていない収納部３に収納されている灯器Ｌを対象に、入庫日が古いものから順に不足数量を満足するように容器が選択される。
【００６９】
このように、１階の搬出口からの出庫要求が緊急出庫要求である場合は、ステップ＃Ｒ８で分岐するが、緊急時に発生する緊急出庫要求に基づく出庫制御では、第１ゾーンＺ１の在庫が最小在庫数を下回ることを許容して、緊急時には第１ゾーンＺ１の在庫数を最小在庫数より減らしてでも、緊急灯器である第１種灯器Ｌ１〜第５種灯器Ｌ５の迅速な出庫と欠品を防止している。緊急出庫要求であっても通常灯器についての処置は計画出庫要求での通常灯器の処理と同じである。
【００７０】
このようにして、出庫対処の灯器Ｌを収容するコンテナ４が選択されると、ステップ＃Ｒ１２で、処理対象の種別について、選択した灯器Ｌが収容されたコンテナ４が収納されている収納部３から当該コンテナ４を搬出口に出庫する出庫用搬送指令が出力される。
【００７１】
以上説明したような図１０のフローチャートで示された処理が、出庫対象の全ての種別について処理され、各種別についての出庫用搬送指令が指令されたら、当該出庫要求についての出庫制御が終了する。
【００７２】
第１種灯器Ｌ１を例に、保管部１における在庫の変動について説明する。第１種灯器Ｌ１は、図７に示すように、最小在庫数が「50」、最大在庫数が「80」となっている。そのため、第１ゾーンＺ１における第１種灯器Ｌ１の在庫数は、図８に示すように、「50」と「80」との間で変動するようになっている。また、第１種灯器Ｌ１の計画出庫数は「40」であるので、計画出庫要求に基づいて「40」個の第１種灯器Ｌ１が出庫される。しかしながら、第１ゾーンＺ１における在庫数は最大で「80」であるため、第１ゾーンＺ１の在庫から「40」個を出庫してしまうと、第１ゾーンＺ１の在庫が「40」となり最小在庫数が「50」を下回ってしまう。そこで、計画出庫要求による「40」個の出庫数量のうち、第１ゾーンＺ１における最小在庫数である「50」を確保した残りの在庫から出庫するとともに、計画出庫要求による「40」個の出庫数量に対して不足する分は、第２ゾーンＺ２の在庫から出庫する。このように計画出庫要求により「40」個の第１種灯器Ｌ１を保管部１から出庫する場合、第１ゾーンＺ１からの出庫と第２ゾーンＺ２からの出庫との双方により保管部１から必要数の第１種灯器Ｌ１を出庫している。これにより、第１ゾーンＺ１における第１種灯器Ｌ１の在庫として最小在庫数である「50」を確保できる。なお、第１ゾーンＺ１からの出庫と第２ゾーンＺ２からの出庫のいずれにおいても入庫時の古いものから順に在庫が出庫されるので、第１ゾーンＺ１において確保される在庫が経年劣化することも防止できる。図７においては、第１種灯器Ｌ１の合計在庫数が「100」を超えていないが、第２ゾーンＺ２における在庫数が多い場合は、合計在庫数が「100」を超える場合もある。
【００７３】
以上説明したように、３階の配光室からの入庫要求に伴う入庫制御が、保守作業の進捗に伴って分散的に行われ、１階の搬出口からの計画出庫要求に伴う出庫制御が、定期的にかつ集中的に行われる。そのため、保管部１に対する灯器Ｌの入庫や保管部１からの灯器Ｌの出庫により保管部１における灯器Ｌの在庫は変動する。本実施形態の灯器保管設備では、緊急灯器である第１種灯器Ｌ１〜第５種灯器Ｌ５のいずれについても、最小在庫数の在庫が経年劣化を回避する形態で第１ゾーンＺ１に保管されているので、緊急事態が突然発生しても、複数種の緊急灯器の全ての種別について経年劣化していない必要数の在庫を適切に出庫できる。しかも、第１ゾーンＺ１を保管部１の高さの低い領域に設定しているため、停電や搬送装置の故障等のために、保管部１に対する灯器Ｌの入出庫が自動で行えなくなっても、作業員の手作業により緊急灯器を保管部１から取り出すことができ、災害等が発生した非常時における不都合が低減される。
【００７４】
〔別の実施形態〕
以上、発明者によってなされた発明を発明の実施形態に基づき具体的に説明したが、本発明は上記実施形態に限定されるものではなく、その要旨を逸脱しない範囲で種々変更可能である。以下、本発明の別実施形態を例示する。
【００７５】
（１）滑走路が複数存在する場合は、計画出庫要求や緊急出庫要求は滑走路単位で必要となる種別及び個数の灯器の出庫を要求するものとなり、これらの出庫要求に基づく出庫制御では、滑走路に応じた種別及び個数の灯器が出庫されることになる。
【００７６】
（２）上記実施形態では、保管部に保管される物品が、空港の滑走路周辺に設置される灯器であるものを例示したが、本発明の物品としては、これに限らず、例えば、備蓄が必要で経年劣化の防止が必要なものであればよい。例えば、使用期限や賞味期限あるものとして医薬品や備蓄食品などが考えれる。
【００７７】
（３）上記実施形態では、第１ゾーンＺ１を保管部１の床面に近い領域に設定するものを例示したが、第１ゾーンＺ１は、保管部１における任意の領域に設定しできる。例えば、緊急灯器を２階に出庫するような設備であれば、第１ゾーンＺ１は、２階のフロアの高さに対応した領域を設定してもよい。また、緊急出庫要求に基づく緊急灯器の出庫作業の時間短縮を図るのであれば、第１ゾーンＺ１を入出庫口に近い領域に設置してもよい。
【００７８】
（４）上記実施形態では、保管部が物品収納棚であるものを例示したが、保管部は物品が保管できるものであればよい。例えば、床面に沿って広がる平置き倉庫であってもよい。また、棚や倉庫の設置箇所は地上に限らず地下であってもよい。
【００７９】
（５）上記実施形態では、保管部の管理単位である収納部において複数の物品（灯器Ｌ）を収容する容器（コンテナ４）を保管するようにしているが、保管部の管理単位で一つの物品を保管してもよい。
【符号の説明】
【００８０】
Ｈ、Ｃ  ：管理制御部
Ｚ１    ：第１保管領域
Ｚ２    ：第２保管領域
１      ：保管部
２      ：物品収納棚
３      ：収納部
５、６、７  ：入出庫装置
【図１】
0006287730.tif 000002
【図２】
0006287730.tif 000003
【図３】
0006287730.tif 000004
【図４】
0006287730.tif 000005
【図５】
0006287730.tif 000006
【図６】
0006287730.tif 000007
【図７】
0006287730.tif 000008
【図８】
0006287730.tif 000009
【図９】
0006287730.tif 000010
【図１０】
0006287730.tif 000011